Podtech/llm-jp-corpus-v4-ja_patent huggingface dataset:
(57)【要約】      （修正有）【課題】接着剤等を使用することなく、組立のみで、必要十分な強度を確保することができ、加工に関しても、打抜加工のみで、貼加工が不要なため加工コストが大幅に削減される段ボール製水槽を提供する。【解決手段】罫線部分を折込み、ロック用突起１０をロック用くり貫き穴１５に差し込みロックする。ロック用くり貫き穴はロック強化用窪み１１とで二重構造になるため、衝撃で穴が大きくなり、ロックが外れるということが、極めておきにくい。ロックは二重罫線１６による下方向の反発力と、逆折罫線１４の横方向の反発力を利用するため、かなり強固に行われる。そのため、ロック部分を直接、反発と逆方向に力を加えない限り、外れることはない。本来包み込み部小１３が、上にくるように設計されているが、強力なロックを望む場合は、包み込み部大１２を上に組立てることも可能である。【選択図】図１
0003160307.tif 000002
【実用新案登録請求の範囲】
【請求項１】
防水対策のための四底面と側面が連接してあるダンボール形態の中で、箱上面部において二重折込みをし、側面部内側にあるロック穴に、ダンボールの下部方向と横方向への反発を利用して強固なロックがされることを特徴とする包装箱の形態。
【考案の詳細な説明】
【技術分野】
【０００１】
本考案は、樹脂が接合された段ボールを用い、完全防水の水槽形態を作る際の複雑な組立を、容易にした形態に関するものである。
【背景技術】
【０００２】
ポリエチレンフィルムが接合された段ボールで、水が漏らない組立箱の形態は多い。それは、焼却廃棄をすると有害ガスが発生し、大気汚染につながる、発泡スチロールやプラスチックケースの代替として、リサイクル可能な段ボールが、見直されているからである。また宅配便発送についても、鮮魚等の魚貝類を氷詰めで発送する際に、主流は発泡スチロールであるが、受取った側の発泡スチロールの処理もスペースを取るため課題となっている。
【先行技術文献】
【特許文献】
【０００３】
【特許文献１】特開２００２−１９７６９号公報
【特許文献２】特開２０００−７２１８３号公報
【考案の概要】
【考案が解決しようとする課題】
【０００４】
完全防水にしようとすると、また強度を保とうとすると、複雑なロック構造をとらなければなく、組立に要する時間がかかる。またポリエチレンフィルムを接合した段ボールは硬度があり、折り曲げる行為自体に力が必要で、その労力ゆえに発泡スチロール代替としての能力が、潜在してしまっている。しかし、容易に組立、分解が可能になれば、必要なタイミングで、箱を組立てればよいので、保管スペースの大幅縮小が図れることとなる。それは、今後の段ボールの可能性を広げることとなり、大きな魅力である。
【０００５】
上記特許文献１では、ロックするための折込み部分を差込むことが困難である。また、接近した２重の逆折加工をしなければならず、罫入加工も段ボールシートが壊れやすく困難である。
【０００６】
上記特許文献２では、四隅を固定するために、ホットメルト等の接着剤を使用しなければならず、貼加工が発生してしまう。結果コストアップにつながる。
【課題を解決するための手段】
【０００７】
本考案は、接着剤を使わず、極めて容易に、水槽形態の防水ダンボールとして組立、分解を可能とするための形態を最も主要な特徴とする。
【考案の効果】
【０００８】
本考案では、水槽形態段ボールの組立、分解を容易にしているため、必要なタイミングでの箱組が可能となる。また、接着剤等を使用することなく、組立のみで、必要十分な強度を確保することができる。加工に関しても、打抜加工のみで、貼加工が不要なため加工コストが大幅に削減される。
【０００９】
また氷詰めにしたホタテ貝を宅配便発送実験として実施した。その結果、水漏れも見られず、発泡スチロールの代替として、完全防水の機能を十分に発揮し、強度的な問題も達成されていることを、確認している。
【図面の簡単な説明】
【００１０】
【図１】図１は箱を分解した際の展開平面図である。
【図２】図２は組立途中図である。
【図３】図３は組立完成図である。
【考案を実施するための形態】
【００１１】
図1の展開平面図において、罫線部分を折込み、１０の突起を１５のくり貫き穴に差し込みロックする。１５のくり貫き穴は１１のへこみとで二重構造になるため、衝撃で穴が大きくなり、ロックが外れるということが、極めておきにくい。
【００１２】
ロックは二重罫線１６による下方向の反発力と、逆折罫線１４の横方向の反発力を利用するため、かなり強固に行わる。そのため、ロック部分を直接、反発と逆方向に力を加えない限り、外れることはない。
【００１３】
１２と１３の上下関係であるが、本来１３が、上にくるように設計されているが、強力なロックを望む場合は、図２のように１２を上に組立てることも可能である。
【００１４】
１７の折込み部の幅であるが、長ければ長いほど、ロック強度が強まる反面、箱詰めの際、邪魔になる。箱詰めに障害のない範囲で、長く取ることが望ましい。
【符号の説明】
【００１５】
１０    ロック用突起
１１    ロック強化用窪み
１２    包み込み部大
１３    包み込み部小
１４    逆折罫線
１５    ロック用くり貫き穴
１６    二重折罫線
１７    折込み部の幅
【図１】
0003160307.tif 000003
【図２】
0003160307.tif 000004
【図３】
0003160307.tif 000005
【手続補正書】
【提出日】平成22年3月29日(2010.3.29)
【手続補正１】
【補正対象書類名】実用新案登録請求の範囲
【補正対象項目名】請求項１
【補正方法】変更
【補正の内容】
【請求項１】
防水対策のための四底面と側面が連接してあるダンボール形態の中で、箱上面部において二重折込みをし、側面部内側にあるロック穴に、ダンボールの下部方向と横方向への反発を利用して強固なロックがされることを特徴とする包装箱。
(57)【要約】      （修正有）【課題】袋の開封を楽にするチャック付袋を提供する。【解決手段】袋の開封部分に両側にずらした取っ手（耳）を入れ込むことで袋の両面をつかみやすくでき、さらに弱い力で開封しやすくする。袋の製造工程において、チャックの開封側にミシン目などのカットラインを入れ込むが、取っ手（耳）を両側でずらすことにより、カットラインで切り取ったあと、容易に両側の耳をつかむことができ、チャックの開封が楽になる。【選択図】図１
0003160309.tif 000002
【実用新案登録請求の範囲】
【請求項１】
チャック袋などの開封を楽にするための両側でずれた位置に取っ手（耳）をつける。
【考案の詳細な説明】
【技術分野】
【０００１】本考案は、利用が多くなったチャック付袋をより少ない力で開けやすくする方法です。
【背景技術】
【０００２】近年  使用が増えているチャック付袋は商品を密閉保護するものであり、非常に好ましい包装技術と考えますが、密閉度を強くすることと開けることは相反する力になり開けるには相応の力が必要である。若年者や老齢者等力の弱い方には極めて苦痛を伴うものでもある。本考案はチャックの上の部分に取っ手部分を入れ込むことでこの問題の改善を目的とするものである。
【先行技術文献】
【特許文献】
【０００３】有限会社ミツワ  横ピロー付三方袋：易開封機能付き袋  ザ・オーぶん
【考案の概要】
【考案が解決しようとする課題】
【０００４】チャック付き袋の開封を楽にする方法である。
【課題を解決するための手段】
【０００５】本考案は、袋の製造工程において、チャックの開封側にミシン目などのカットラインを入れ込むが、取っ手（耳）を両側でずらすことにより、カットラインで切り取ったあと、容易に両側の耳をつかむことができ、チャックの開封が楽になる。
【図面の簡単な説明】
【０００６】
【図１】  チャックおよび本考案のミシン目カットラインの正面図
【図１】
0003160309.tif 000003
【手続補正書】
【提出日】平成22年3月26日(2010.3.26)
【手続補正１】
【補正対象書類名】実用新案登録請求の範囲
【補正対象項目名】全文
【補正方法】変更
【補正の内容】
【実用新案登録請求の範囲】
【請求項１】
チャック付袋の開封をするために必要な力を軽減するための両側にずれた山型形状を有する開封用取っ手
(57)【要約】      （修正有）【課題】シュレッダー本体に暗唱番号等鍵を設ける事に依り、シュレッダー操作が適切に行えない人間のケガ、事故を防ぎ、重要な書類をシュレッダーにかけられてしまう可能性を消滅させ、また、シュレッダーの機能を暗唱番号（鍵）に依り可動、停止と調整し、シュレッダーにかけなければならない書類を他人に依頼する際も可動・停止を把握出来るようにしたシュレッダーを提供する。【解決手段】四角い形状のシュレッダー本体の紙裁断入口面に暗唱番号・鍵６を設け、鎖錠・解錠に伴いシュレッダー本体の裁断軸１，２が作動・作動しない状態となる様にして暗証番号・鍵付きシュレッダーを構成する。【選択図】図３
0003160324.tif 000002
【実用新案登録請求の範囲】
【請求項１】
シュレッダー本体に暗唱番号等鍵を設け、鎖錠・解錠に伴いシュレッダー本体の裁断軸が作動・作動しない状態となる。
この事に依り、使用しない際の事故等を防ぎ、場所移動するなどの時間的労働的負担又何か事故が大きるのではないかを心配する精神的負担をなくす暗唱番号等鍵付きシュレッダー。
鍵の種類は問わない。
【考案の詳細な説明】
【技術分野】
【０００１】本考案は、シュレッダー本体に暗唱番号等鍵を設けたものである。
【背景技術】
【０００２】▲１▼シュレッダーに依る事故（子供などが指を大ケガする）が後を絶たない。
▲２▼子供などが誤って知らない内に遊び感覚で重要な書類をシュレッダーにかけてしまう事がある。
▲３▼シュレッダーにかけたと言って重要書類を持ち出されてしまう可能性がある。
【考案の概要】
【考案が解決しようとする課題】
【０００３】暗唱番号等鍵がないシュレッダーは［背景技術］に記載の問題点が生じる可能性が有る。この事を防ぐ為に使用者が外出の際シュレッダーを目に付かない所に場所移動するなど時間的労働的負担が生じる。従ってシュレッダーの機能と鍵の機能を一本化する事により［背景技術］に記載の問題点を解決し、前述の時間的労働的負担も解決しようとするものである。
【課題を解決するための手段】
【０００４】本考案はシュレッダー本体に暗唱番号等鍵を設けこれを解錠しなければシュレッダー本体は一切全く作動しない仕様としている。
【考案の効果】
【０００５】シュレッダー本体に暗唱番号等鍵を設けたので、使用しない時は作動出来ない様に出来るため［考案が解決しようとする課題］を可能とする効果を有する。
【図面の簡単な説明】
【０００６】
【図１】暗唱番号が解除出来ずシュレッダーが作動しない状態
【図２】暗唱番号を解除し、シュレッダーが作動する状態
【図３】全体図
【考案を実施するための形態】
【０００７】シュレッダー本体の裁断軸は暗唱番号の正誤に依る鎖錠・解錠に従って作動、作動しない状態になる。
【符号の説明】
【０００８】１右裁断軸
２左裁断軸
３紙裁断入口
４裁断軸接合レバー
５裁断ハンドル
６暗唱番号（鍵）
【図１】
0003160324.tif 000003
【図２】
0003160324.tif 000004
【図３】
0003160324.tif 000005
【手続補正書】
【提出日】平成22年3月25日(2010.3.25)
【手続補正１】
【補正対象書類名】実用新案登録請求の範囲
【補正対象項目名】全文
【補正方法】変更
【補正の内容】
【実用新案登録請求の範囲】
【請求項１】
四角い形状のシュレッダー本体に紙封入口面に暗証番号・鍵を設け鎖錠・解錠に伴いシュレッダー本体の裁断軸が作動・作動しない状態となる暗証番号・鍵付きシュレッダー。
(57)【要約】      （修正有）【課題】酢に浸漬した魚肉と酢・大根おろし・醤油・砂糖を加えて混ぜ合わせて容器に収め、その摂取により、手術等を要さず眼疾患を改善できる眼疾患改善用食品を提供する。【解決手段】青背魚を三枚におろした身の腹骨をすき取り、皮を取り除いて酢に浸漬させた魚肉に包丁を入れて細切りにした半円状の魚肉１と、大根おろしを酢・醤油・砂糖で調味したもの２と攪拌し、底面よりも径の大きい開口上面を有する円錐台状の器に収めたところを特徴として疾患改善用食品を構成する。【選択図】図１
0003160325.tif 000002
【実用新案登録請求の範囲】
【請求項１】
青身の魚の、イワシ・マグロ・サバ・ブリ・サンマ・アジ・キビナゴ・ニシン・カツオ・トビウオ・コノシロ・アユ・ニジマス等の中より１種類を三枚におろして腹骨部分を取り除き、皮を剥がした身を酢に浸漬し、１日〜５日後に、酢から取り出した魚肉本体を適度の間隔で切り、半円状（刺身状）にした魚肉に、酢・醤油・砂糖・大根おろしを混ぜ合わせたことを特徴とする眼疾患改善用食品。
【考案の詳細な説明】
【技術分野】
【０００１】  本考案は、白内障、飛蚊症等の眼疾患症状の改善や予防に好適な眼疾患改善食品に関するものである。
【背景技術】
【０００２】  魚油に含まれるエイコサペンタエン酸（ＥＰＡ）やドコサヘキサエン酸（ＤＨＡ）等の高度不飽和脂肪酸の生理活性が注目されている。しかし、生活習慣を変える又は、カラだのバランスを整える程度で眼疾患の改善効果は望めなかった。
【考案の開示】
【考案が解決しようとする課題】
【０００３】  白内障の治療は手術が主で飛蚊症は効果的な治療方法が見当たらない。しかし、青身の魚を酢に浸漬した魚肉と食酢を混ぜたものを２ヶ月程度続けて１日１回摂取する（イワシの場合は１回に一尾分の約１／４）ことで症状が改善され、前述の欠点を解消しようとするものである。
【課題を解決するための手段】
【０００４】  本考案の、眼疾患改善用食品は、青身の魚の、イワシ・マグロ・サバ・ブリ・サンマ・アジ・キビナゴ・ニシン・カツオ・トビウオ・コノシロ・アユ・ニジマス等のいずれか１種類の生肉を酢に浸漬した浸漬魚肉と、食酢を混ぜたものに大根おろし、醤油、砂糖を加えて和えたものを１日１回、一尾分の約１／４を摂取することで、魚肉のＤＨＡ、ＥＰＡの他、良質のタンパク質、カルシウム、ビタミンＡ、Ｂ、Ｄ等のビタミン類、酸化還元酵素、核酸、鉄分、タウリン等が含まれており、抽出操作等を行わないため、核酸等の生理活性を維持させることができたものと推察している。又、食酢の抗酸化力によって老化を抑制し代謝を活発化させ、魚肉のビタミン類、酸化還元酵素、核酸タンパク質等による改善効果を高めることができ、さらに食酢が血液の血小板の凝集や白血球の粘着を抑制するため、眼の毛細血管の血流が良くなり、目の組織に魚肉の有効成分を供給することができ眼疾患の症状を改善し問題点を解決している。
【考案の効果】
【０００５】  上述の様に本考案の、眼疾患改善用食品は、酢に浸漬することにより生肉の鮮度が低下するのを防ぎ保存性を高めることができるとともに、魚肉と一緒に食酢も含有しているため、食酢の抗酸化力によって老化を抑制し、代謝を活発化させ魚肉のＤＨＡ、ＥＰＡの他ビタミン類、酸化還元酵素、核酸、タンパク質等による改善効果を高めることができ又、食酢が血液の血小板の凝集や白血球の粘着を抑制するため、眼の毛細血管の血流が良くなり、眼の組織に魚肉の有効成分を供給することができて、白内障、飛蚊症等の眼疾患の症状を２ヶ月程度の短期間で改善できることに役立っている。
【考案を実施するための最良の形態】
【０００６】  青身の魚の内、ウルメイワシの頭、内臓を取り除き三枚におろして腹骨部分も取り除いて、皮を剥がした身を酢に浸漬し、冷蔵庫に１日〜５日保管する。次に、酢に浸漬してえられた浸漬魚肉を取り出し、刺身状に切ったもの（一尾分の約１／４）に酢、大根おろし、醤油、砂糖を混ぜ合せたものを加え、毎日１回２ヶ月間摂取する。
【実施例】
【０００７】  以下、添付図に従って実施例を説明する。３は、青身の魚の魚肉本体で５の強化プラスチック容器中の４の酢に漬けた状態である。【０００８】  １は、冷蔵庫で１日〜５日保管した青身の魚の漬浸魚肉を刺身状にスライスしたもので、２の大根おろし、醤油、砂糖、に酢を加えたものと混ぜ合わせた眼疾患改善食品本体を容器に収めたもので、これを摂取しやすい流動状にする。【０００９】  ６、７、８は、飛蚊症の視界状況の変化を示した例で、６の状態が２ヵ月程度眼疾患改善食品を摂取すると７のようにすじ状のものに胞子が付着した状態になり、その部分が膨れ破裂したように消失し、８のような視界に改善される。【００１０】  本考案の実施例は上途の如き構成からなるものであり、図３に示すように飛蚊症等の眼疾患の改善に用いられる。
【図面の簡単な説明】
【００１１】
【図１】本考案の立面図
【図２】本考案の実施例図１
【図３】本考案の実施例図２
【符号の説明】
【００１２】１  魚肉のスライス
２  酢、他の混ぜ合わせ
３  魚肉
４  酢
５  強化プラスチックの器
６  飛蚊症の視界
７  胞子状になった視界
８  改善された視界
【図１】
0003160325.tif 000003
【図２】
0003160325.tif 000004
【図３】
0003160325.tif 000005
【手続補正書】
【提出日】平成22年3月24日(2010.3.24)
【手続補正１】
【補正対象書類名】実用新案登録請求の範囲
【補正対象項目名】全文
【補正方法】変更
【補正の内容】
【実用新案登録請求の範囲】
【請求項１】
青背魚を三枚におろした身の腹骨をすき取り、皮を取り除いて酢に浸漬させた魚肉に包丁を入れて細切りにした半円状の魚肉と、大根おろしを酢・醤油・砂糖で調味したものと攪拌し、底面よりも径の大きい開口上面を有する円錐台状の器に収めたところを特徴とする眼疾患改善用食品。
(57)【要約】      （修正有）【課題】契約書面の表紙に、額表・約定証・入居心得・割印等を組合わせた表紙を提供する。【解決手段】依頼者が宅地建物取引業者に支払う国土交通省大臣が定めた、不動産媒介（仲介）報酬額表と仲介手数料支払い約定証（計算方法付）を記載し、賃貸借用にアパート・マンション等の共同利用の入居心得と表紙の両面上端に割印をする等の文章を記載してあるから、取引主任者が重要事項説明書を説明する前に依頼者に説明と本表紙を発行すれば後日のトラブルの防止になる。【選択図】図２
0003160326.tif 000002
【実用新案登録請求の範囲】
【請求項１】
不動産取引契約書面（以下契約書面という）の表紙の片面に、国土交通省大臣が定めた、不動産媒介（仲介）報酬額表（以下額表という）告示第１００号を記載し、売買用には「仲介手数料約定証（以下約定証という）」を記載し、又貸建物用には「入居心得」、及び各表紙の両面上端部に割印をする等の文章を記載した印刷物。
【考案の詳細な説明】
【考案の詳細な説明】
【技術分野】
【０００１】  本考案は宅地建物取引業法（以下業法という）に関する。
【背景技術】
【０００２】  従来の契約書面の表紙には、額表・約定証・入居心得・割印等を組合わせた表紙はなかった。
【考案が解決しようとする課題】
【０００３】  宅地建物取引業者（以下業者という）は、業法第４６条４項で、額表を事務所ごとに公衆の見やすい場所に、掲示しなければならないと定められていますが、実際には「貸主・借主・売主・買主様」（以下お客様という）の位置から、額表は遠くて、文章が読みづらかったり、この額表の説明を受けないと理解してくれないお客様もいた。
【課題を解決するための手段】
【０００４】  本考案は、宅地建物取引主任者（以下取引主任者という）が、重要事項説明書を説明する前に、本表紙に額表・約定証・入居心得・割印等の記載で説明と発行すれば、後日のトラブルを防止できる。
【考案を実施するための形態】
【０００５】  印刷物であるから、簡単に作成実施・形態もできます。
【考案の効果】
【０００６】  売買用の約定証には、計算方法が記載してあるので、お客様にも良く理解され、又貸建物用には、アパート・マンション等の共同利用等の入居心得が記載されてあるからトラブルの防止に役立ちます。
【図面の簡単な説明】
【図１】  不動産売買契約書表紙の表面図
【図２】  不動産売買契約書表紙の片面図
【図３】  建物賃貸借契約書表紙の表面図
【図４】  建物賃貸借契約書表紙の片面図
【図１】
0003160326.tif 000003
【図２】
0003160326.tif 000004
【図３】
0003160326.tif 000005
【図４】
0003160326.tif 000006
【手続補正書】
【提出日】平成22年3月24日(2010.3.24)
【手続補正１】
【補正対象書類名】実用新案登録請求の範囲
【補正対象項目名】全文
【補正方法】変更
【補正の内容】
【実用新案登録請求の範囲】
【請求項１】
不動産取引契約書面（以下契約書面という）の表紙の片面に、不動産媒介（仲介）報酬額表（以下額表という）を記載し、契約書面が売買用である場合には額表の下部に「仲介手数料約定証（以下約定証という）」を記載し、又契約書面が賃貸借用である場合には額表の下部に共同住宅の「入居心得」を記載した印刷物。
(57)【要約】      （修正有）【課題】ホチキスの針の色を見る事を可能とし又持ち手プラスチック部分を色針の同じ色・数だけ用意し着脱可能とする事によりある程度離れた所からも、どの色針が内蔵されたホチキスか容易に色別可能なホチキスを提供する。【解決手段】ホチキス本体をプラスチックなどに素材変更に依り透明とする。色針を押し出すアームの部分を何もない状態にし、そこ依り色針を識別可能とする。グリップ部分を着脱可能とし色針と色を合わせ、どの色針を入れたホチキスか色により識別可能とする。【選択図】図１
0003160321.tif 000002
【実用新案登録請求の範囲】
【請求項１】
ホチキス本体に透明部分又は空間部分を設け使用する色針を識別可能としグリップ部分を着脱可能とし色針と色を合わせどの色針を入れたホチキスか色により識別可能とするホチキス。
※上記設明部分、図面参照
【考案の詳細な説明】
【技術分野】
【０００１】本考案は両グリップ部分を着脱交換可能とし本体部分を透明又は空間を設ける事に依り色針の色別又ホチキスがどの色針を内蔵しているか容易に色により織別可能とする。
【考案が解決しようとする課題】
【０００２】色針自体は存在するが、又図面、図１▲１▼部分のサイドに部分的に空間を空けているものがあるが、あくまで針の残量確認をする為の小窓であり瞬時に確認出来ない。又離れた所よりどの色が内蔵されているホチキスか識別する事は極めて困難である。
従って両グリップ部分を着脱交換可能とし本体部分を透明又は空間を設ける事により離れた所による識別及び確認として色針の色又どれだけの針の残量か瞬時にわかることにより前述の欠点を解決しようとするものである。
【考案の効果】
【０００３】上述の様に本考案の色針識別ホチキスは離れた所から色針をデザインを損うことなく識別出来透明部分・空間部分により確認の上でも色針を識別可能とし色針ホチキスによる色針の打ち間違い又内蔵されている色針を近く、離れた所により確認出き時間的ロスを短縮できホチキス市場の新たる需要開拓又伴う需要拡大を促す考果が有り社会的意義も有ると考える。
【図面の簡単な説明】
【０００４】
【図１】本考案の色針識別可能ホチキス左針め上よりの図である。
【図２】本ホチキスの上正面（やや左寄りより）よりの図。
【図３】本ハンガーを約１２０度開き横よりとらえた図
【図４】親指をあてる方のグリップを着脱交換可能とする図
【図５】人指し指をあてる方のグリップを着脱交換可能とする図
【考案を実施するための形態】
【０００５】ホチキス本体の▲１▼▲２▼（図面各図参照）を透明又は空間としその中を識別出来る様にする。
グリップ部分は先方部分を前に引きながら上に持ち上げると円形部分（ジョイント部分）が外れる。異なる色のグリップ部分を後に押しながら下に押すと円形部分（ジョイント部分）が接合される。
【符号の説明】
【０００６】▲１▼ホチキス色針収納部分。
▲２▼色針を押し出す方のアームの中の空間及は透明部分。
▲３▼親指をあてる方のグリップ
▲４▼人指し指をあてる方のグリップ
▲５▼人指し指をあてる方のグリップを裏より見た円形部分（ジョイント部分）
【図１】
0003160321.tif 000003
【図２】
0003160321.tif 000004
【図３】
0003160321.tif 000005
【図４】
0003160321.tif 000006
【図５】
0003160321.tif 000007
【手続補正書】
【提出日】平成22年3月18日(2010.3.18)
【手続補正１】
【補正対象書類名】実用新案登録請求の範囲
【補正対象項目名】全文
【補正方法】変更
【補正の内容】
【実用新案登録請求の範囲】
【請求項１】
ホチキス本体に透明部分又は空間部分を設け使用する色針を識別可能としグリップ部分を着脱可能とし色針と色を合わせどの色針を入れたホチキスか色により識別可能とするホチキス。
(57)【要約】【課題】メガネの汚れを拭く時，紛失しない様に，布をアクセサリ−としてメガネのつるに輪にして通し，紛失し辛い，且つ可愛い・楽しい眼鏡付帯清掃及び装飾衣を提供する。【解決手段】メガネ拭きの布は小さく極端に軽い為，着かえの時等に紛失しがちです。それを紛失し難いように且つ，布を輪にしてハ−ト型のアクセサリ−としてつるに通し便利で可愛い・楽しいものにした。布をハ−ト型にして輪にしている為，紛失し辛く，必要時は直ぐ使える便利さと可愛いアクセサリ−として両方に使える事を特徴とする。【選択図】図３
0003160323.tif 000002
【実用新案登録請求の範囲】
【請求項１】
メガネのレンズの汚れを拭き取る布を，必要時は何時でも傍にあるように又，ハ−トの形にしてアクセサリ−化して，可愛らしさと便利さを特徴とする眼鏡用付帯清掃及び装飾衣。
【請求項２】
眼鏡用付帯清掃及び装飾衣の絵柄や形は，色々な動植物・文字型・食物その他多種に渡って使用出来る請求項１記載の，眼鏡用付帯清掃及び装飾衣。
【考案の詳細な説明】
【技術分野】
【０００１】この考案は，眼鏡の汚れを拭き取る布を，紛失することなく必要時には直ぐ，取り出せる眼鏡レンズ拭きの布に関するものである。
【背景技術】
【０００２】従来より，眼鏡レンズの汚れを拭き取る布は，多くあるが本考案の様に便利で可愛いアクセサリ−を兼ねた布は他に見当たらない。
【考案の開示】
【考案が解決しようとする課題】
【０００３】メガネのレンズが汚れた時，ポケットに入れたはずの布が見当たらず大変困る事が多い。
その布が必要な時は，何時でも使えるように布をアクセサリ−化してメガネのテンプル（つる）に輪にして通して紛失防止と可愛らしさを強調した布を開発した。
元来布は上着のポケット等にいれて使っているが，着替えた際に小さくて重量がない関係で新しい上着に移し替える事を忘れるのは珍しくない。
その為メガネを拭こうとする時に布がない。やむを得ずテイッシュペーパ−等で拭いてその場をしのぎます。
しかし，メガネは高価で傷が付き易いものです。それらを考慮して必要時は直ぐ使えるように且つ，アクセサリ−化して，メガネと一体化的にする事にした。
紛失防止と可愛いアクセサリ−化した両方の意味を持つ眼鏡付帯清掃及び装飾衣を提供する事を目的として開発した物である。
【課題を解決する手段】
【０００４】課題を解決するために本考案は，以下の構成とした。
一般の眼鏡拭き布は，必要時に見当たらない事が多いが，それをアクセサリ−化して，メガネのつるに輪にして通し，一体化的に出来る構造にした。
紛失防止と可愛いアクセサリ−を同時に備えるため，便利さと楽しさの両面の意味をもつ構造にした眼鏡付帯清掃及び装衣である。
【考案の効果】
【０００５】本考案は，下記の効果を有する。
着替えをすると，色々な物を前に着ていた服に忘れてしまう事が多い。
特にメガネを拭く布は，小さく極端に軽くかさばらない関係で忘れがちである。
その布をアクセサリ−化して輪にしてつるに通す事により，メガネと布は一体化する。
これにより，可愛いアクセサリ−とメガネは常に一緒な為，便利さと楽しさを同時に得ることが出来る。
【考案を実施するための最良の形態】
【０００６】以下，本考案の実施形態について説明する。
本考案の名称眼鏡用付帯清掃及び装飾衣は，眼鏡のつるに輪にして通しレンズの汚れを拭き取りたい時に，布が見当たらなくて困ることがない様にした。
又，眼鏡は高価な物であり，色々な布やティシュペ−パ−等で汚れを拭き取ってレンズに傷を付けて取り返しのつかない事にならない様に眼鏡のテンプル（つる）に図３の様に輪にして通しておけば必要時は何時でも使用出来るので便利であり安全である。
又，つるに輪にして通した眼鏡用付帯清掃及び装飾衣は，必要時に何時でも使えるばかりでなく，布の形・絵柄・色彩は女性に好まれる色のハ−ト型にして，可愛いものとした。
従って，眼鏡用付帯清掃及び装飾衣は，眼鏡のレンズの汚れを拭き取る時に，紛失することなく便利であるばかりか，とても可愛いアクセサリ−としての役目も同時に果たし，眼鏡のレンズの汚れを拭き取るただの布が，使わない時は，つるに通して保管すると，とても可愛いアクセサリ−の役目もする。一石二鳥である。【０００７】次に眼鏡用付帯清掃及び装飾衣の使用方法について説明する。
使用方法は，眼鏡を外して，つるにセットしていた布を取り出し利き手の親指と人指し指の先にそれぞれはめて，レンズを磨きます。
作業が終わったら，又，つるにセットしてアクセサリ−として使用します。
【図面の簡単な説明】
【０００８】
【図１】本考案の使用斜視図
【図２】本考案の平面図
【図３】本考案の（アクセサリ−）使用斜視図
【図４】本考案の正面図
【図５】本考案の側面図
【符号の説明】
【０００９】１  眼鏡レンズ拭き布
２  ゴム
３  指
４  眼鏡
【図１】
0003160323.tif 000003
【図２】
0003160323.tif 000004
【図３】
0003160323.tif 000005
【図４】
0003160323.tif 000006
【図５】
0003160323.tif 000007
【手続補正書】
【提出日】平成22年3月26日(2010.3.26)
【手続補正１】
【補正対象書類名】実用新案登録請求の範囲
【補正対象項目名】全文
【補正方法】変更
【補正の内容】
【実用新案登録請求の範囲】
【請求項１】
眼鏡の汚れを拭き取る布に輪を設け、輪を眼鏡のつるに通す事によって着脱出来る形状にしたことを特徴とする、眼鏡清掃具。
【請求項２】
前記布は、動植物型，文字型，食べ物型，ハ−ト型，星型，のいずれかの図形にしたことを特徴とする、請求項１に記載の眼鏡清掃具。
(57)【要約】      （修正有）【課題】カードゲーム、ボードゲームをより楽しくする為に、新しいアクセントをつけたゲームを提供する。【解決手段】従来のカードゲーム、ボードゲームに苗字や名前を印字することで、競技する時に、容易に人物を想像させ、より楽しく遊ぶことが出来る。カードゲームやボードゲームを楽しみながら、絵柄の人物を想像することが出来、カードゲーム・ボードゲームの活性化に繋がる。【選択図】図１
0003160387.tif 000002
【実用新案登録請求の範囲】
【請求項１】
苗字を印鑑の形に印字したトランプ。
【請求項２】
名前を印鑑の形に印字したトランプ。
【請求項３】
苗字をカードの中心部に印字したカードゲーム。
【請求項４】
名前をカードの中心部に印字したカードゲーム。
【請求項５】
苗字を印字したボードゲーム用の駒。
【請求項６】
名前を印字したボードゲーム用の駒。
【考案の詳細な説明】
【技術分野】
【０００１】本考案は、カードゲームおよびボードゲームによるものである。
【背景技術】
【０００２】ゲームに使用するカードや駒の柄は様々ある。
【先行技術文献】
【特許文献】
【０００３】なし
【非特許文献】
【０００４】なし
【非特許文献１】
【考案の概要】
【考案が解決しようとする課題】
【０００５】  従来のカードゲームは、数字と絵柄の組み合わせなどからなるが、ゲームが面白くなるようなアクセントが必要である。  また、ボードゲームに使用する駒も同様である。
【課題を解決するための手段】
【０００６】カードゲームに苗字や名前を印字する。  もしくは、ボードゲームに使用する駒に苗字や名前を印字する。
【考案の効果】
【０００７】カードゲームやボードゲームを楽しみながら、絵柄にプリントされた人物を楽しく想像することが出来る。
【図面の簡単な説明】
【０００８】
【図１】カードゲームの図柄を苗字にした正面図
【図２】カードゲームの図柄を名前にした正面図
【図３】ボードゲームに使用する駒に苗字を印字した斜視図
【図４】ボードゲームに使用する駒に名前を印字した斜視図
【考案を実施するための形態】
【０００９】苗字や名前をプリントにしたカードゲームやボードゲームの形態。
［図１］から［図４］参照。
【実施例】
【００１０】［図１］のようにカードゲームの図柄を苗字にする。
［図２］のようにカードゲームの図柄を名前にする。
［図３］のようにゲーム駒の図柄を苗字にする。
［図４］のようにゲーム駒の図柄を名前にする。
【産業上の利用可能性】
【００１１】カードゲームやボードゲームを楽しみながら、絵柄の人物を想像することが出来、カードゲーム・ボードゲーム売場の活性化に繋がる。【００１２】１  苗字を印字したカードゲーム
２  名前を印字したカードゲーム
３  苗字を印字したゲームの駒
４  名前を印字したゲームの駒
【図１】
0003160387.tif 000003
【図２】
0003160387.tif 000004
【図３】
0003160387.tif 000005
【図４】
0003160387.tif 000006
(57)【要約】【課題】    うちわの形状をしていながら、本来のうちわの機能を損なうことなく、化粧用あるいは宣伝媒体用、景品などに使用される、うちわを提供する。【解決手段】本考案のミラー付うちわは、柄部にミラーを取り付けることが出来るような形状に一体成形または、加工された柄部にプラスチック製ミラーを取り付けたことを特徴とする。【選択図】図１
0003160390.tif 000002
【実用新案登録請求の範囲】
【請求項１】
うちわ形であって、ミラーを取り付けることが出来るような形状に一体成形または、加工された柄部にプラスチック製ミラーを取り付けたことを特徴とするミラー付うちわ。
【考案の詳細な説明】
【技術分野】
【０００１】  本考案はミラー付うちわに関する、さらには、化粧用や宣伝用媒体として利用されたり、景品として配られるミラー付うちわに関するものである。
【背景技術】
【０００２】  従来、鏡の付いた、うちわの形状をしたものは存在した。
【先行技術文献】
【非特許文献】
【０００３】
【非特許文献１】登録実用新案第３１４７２６９号
【考案の概要】
【考案が解決しようとする課題】
【０００４】上記文献のミラー付うちわでは、扇部にミラーが貼ってあるので、うちわとして使用した場合、扇部がたわむので、ミラーがはがれる恐れがあった。また、扇部に、はずれないように貼ると扇部がたわまないので、風を送る機能が損なわれる恐れがある。
【課題を解決するための手段】
【０００５】本考案のミラー付きうちわは、柄部にミラーを取り付けることが出来るような形状にした。
【考案の効果】
【０００６】本考案のミラー付うちわでは、扇部にミラーを貼らないため、あおいだ時に扇部がたわんだ時に、はがれたりすることがない。また、扇部にミラーをはがれないように貼ることにより扇部がたわまなくなってしまい、空気をつかみにくくなり、その結果、うちわ本来の風を送るという機能も、そこなわることがない。
【図面の簡単な説明】
【０００７】
【図１】本考案の実施例に関わるミラー付うちわの表面図である。
【図２】ミラー付うちわの裏面図である。
【図３】図１の柄部のＩＩＩ−ＩＩＩ線断面図である。
【考案を実施するための形態】
【０００８】    本校案を実施するための材料としては、柄部は木製であってもプラスチック製であってもよい。扇部は竹の骨をはさんだ紙製でもよいし、プラスチック製の骨を紙ではさんでも、また、プラスチック製の板だけでもよい。ミラーは片面または、両面に貼ることができるようにしてもよい。
【実施例】
【０００９】次に、本考案の実施例を図面に基づき説明する。図１は、本考案の一実施例の関わるミラー付うちわＡの表面図、図２は同裏面図、図３は図１に置けるＩＩＩ−ＩＩＩ線断面図である。ミラー付きうちわ形玩具Ａは図１〜２に示すように、うちわ形部材１、ミラー１３から構成されている。うちわ形部材１は扇部１１と柄部１２とが一体成形されたプラスチック製または木製部材である。プラスチックは、ポリスチレン（ＰＥ）、ポリプロピレン（ＰＰ）、スチロール樹脂（ＰＳ）、メタクリル樹脂（ＰＭＭＡ）、ポリアミド（ＰＳ）、ポリカーボネート（ＰＣ）、フッ素樹脂など熱可塑性プラスチックが使用される。そして、熱可塑性プラスチックが射出成形によって、柄部１２に成形加工される。すなわち、粉状または、粒状の形成材料をホッパから供給し、加熱シリンダ内で溶融させ、ピストンで金型の中に射出し冷却後製品を取り出せばよい。木製の場合は割れやすい木以外ならすべて、使用可能である。一木から削りだして柄部１２の形に加工する。扇部１１は竹または、プラスチック製の骨を紙ではさみ、接着し扇の形にしたものを使用する。もしくは、プラスチック製で扇の形にしたものを使用してもよい。ミラー１３はアクリル製でありミラー加工されたものである。本実施例では、直径を３０ｍｍ、厚みを２ｍｍとし、片面にミラーを貼った。このミラーに図・文字をレーザー加工して彫り込むのも販促品として好ましい。
【産業上の利用可能性】
【００１０】本考案はミラー付きうちわに関する、さらに詳しくは、化粧用や宣伝媒体として利用されたり、景品として配られるミラー付うちわに関する。
【符号の説明】
【００１１】Ａ  ミラー付うちわ
１  うちわ形部材
１１  扇部
１２  柄部
１３  プラスチック製ミラー
２１  扇部挿入用溝
２２  ミラー用溝
【図１】
0003160390.tif 000003
【図２】
0003160390.tif 000004
【図３】
0003160390.tif 000005
(57)【要約】      （修正有）【課題】顔、首等の皮膚を美肌にするために、顔、首等の一部を押圧支持し、その反対側又は外周の皮膚の引っ張りに対する負荷を逃がさないようにすることができる顔面美肌用支持パットを提供する。【解決手段】支持パットは、所定幅の円筒状を有し、円筒状の外周面と内周面とを各々粘着性を以って構成し、且つ外周には、所定間隔を設けて数条の突条部を突出形成した事を特徴としている。【選択図】図１
0003160389.tif 000002
【実用新案登録請求の範囲】
【請求項１】
支持パット（１）は、所定幅の円筒状に湾曲され、該支持パット（１）は、円筒状の外周面と内周面とを各々表面粘着部（２）と裏面粘着部（３）とによって成型した事を特徴とする顔面美肌用支持パット。
【請求項２】
請求項１の円筒状に湾曲された支持パット（１）の外周の表面粘着部（２）の外周に所定間隔を設けて数条の突条部（５）（５）を突出形成した事を特徴とする請求項１の顔面美肌用支持パット。
【考案の詳細な説明】
【技術分野】
【０００１】  本考案は、人間の顔又は首等の皮膚の表面に支持パットを当接することによって、当接以外の皮膚の引っ張りに対する力を最小限に効率的にする事を目的とした顔面美肌用支持パットに関するものである。
【背景技術】
【０００２】  一般にこの種の顔面等の皮膚の表面を美麗にするものには、美顔用の凹凸等を有するマッサージ、又はバイブレーターにスポンジパフを取付ける美顔用のマッサージャ等が多数散見されている現状である。
【考案の概要】
【考案が解決しようとする課題】
【０００３】  上記の如く、従来の皮膚の表面を美麗にする技術で述べているもののうち前者の凹凸を有する美顔用マッサージャは、モーター等の回転によって偏心運動を行って全体を振動させて皮膚の表面を押圧して動かすために強力な振動を皮膚に与える欠点と、凹凸部分によって皮膚の表面に炎症を生じさせる等の問題点がある。
また、後者のバイブレーターにスポンジパフを取付けたものでは、皮膚とスポンジパフの接合感触は良好であるが、その顔面等の接合部分のマッサージには、役立つものと思われるが、接合部分以外の皮膚の表面をマッサージする事は不可能である。
本考案は、従来の技術の有する問題点に鑑みてなされたものであり、その主たる目的とする所は、支持パットを円筒状に形成し、内外面を粘着面として手指の挿入を安定的に支持し、手によって皮膚の上面から肌を軽い力で確実に押さえ込むことで、その外周の皮膚の引っ張りに対して負荷を逃がさないようにしたものである。従って、表情筋トレーニング時の引張力が最小限の力によって充分にトレーニングの効果を果し、且つ表面の突条部によっては、軽い力で支持パットを皮膚面にぴったりフィットでき、外観的に優れた顔面美肌用の支持パットを提供するものである。
【課題を解決するための手段】
【０００４】  上記目的を達成するために、本考案の顔面美肌用支持パットは、各種の色柄に彩色され、手に嵌める所定幅の円筒状に成形し、該円筒状の外周面と内周面とは各々粘着性を有する表裏面を形成する。また、該支持パットには、その全外周の表面粘着部の外周に所定間隔を設けて数条の突条部を突出形成してある。
【考案の効果】
【０００５】  本考案の支持パットによれば、従来の各種の美顔に使用される美容用具の如く、顔面の一部に接触した部分のみにマッサージを施して、皮膚の表面を活性化するものと異なり、顔面の一部または頬等の肌部分をしっかりと押圧して引っ張り、負担を逃がさないよう固定する事が出来る効果と、支持パットを使用しない外周又は付近のマッサージを最小限の運動力で効果的に皮膚面のマッサージをする効果がある。
そして、該支持パットを円筒形に形成したので、手指の挿入が容易で、手に安定して取付けられ、且つ内外周を粘着性としたので、顔等の皮膚面の各所にぴったりとフィットできる効果もある。
また、支持パットの円筒状の外周に所定間隔を設けた数条の突条部を形成したことによって、各皮膚の表面に軽く押圧する事によりずれることなく安定して支持できる効果もある。
【図面の簡単な説明】
【０００６】
【図１】  本考案の支持パットを押圧した状態の斜面図である。
【図２】  同じく本考案の支持パットの開示した一部の拡大断面図である。
【図３】  本考案の支持パットの全体斜面図である。
【図４】  本考案の支持パットの縦断面図である。
【考案を実施するための形態】
【０００７】  上記のように構成されている支持パットによれば、内部の円形部に手指を通して手甲まで弾性に抗して押入固定し、その後例えば、一方の頬に支持パットを手で持って押圧し、他の頬を引っ張る操作をすると皮膚の表面に軽い力で大きな刺激を与える事が容易に出来る。
また、本考案人が先に考案した口唇に噛んで左右に引っ張り運動をして、口唇外周を刺激するパタカラ（商標名）等の器具を左右に引っ張り使用すると、顔面の支持パットを当てない皮膚面周辺の引っ張りにおいて、負荷を逃がさないで軽い運動量でも充分にマッサージができるように働くものである。
【実施例】
【０００８】  次に、本考案の実施例を図面について説明すると、図１、図２に示す如く、支持パット（１）は、粘着性を有する熱可塑性エラストマーより成形され、数本の指が挿入支持できる所定幅の円筒形（６）に湾曲形成されている。該支持パット（１）には、円筒形（６）の表面粘着部（２）と裏面粘着部（３）とより構成されている。
また、該支持パット（１）の該表面粘着部（２）には、外周に所定間隔を設けて交互に長手方向の数条の突条部（５）（５）…を突出形成したものである。
なお、本考案の支持パット（１）の製品を説明すると、長さは約６０ｍｍ、外径寸法約５８ｍｍ、また、内径寸法約５０ｍｍによって製造したものである。
【符号の説明】
【０００９】１          支持パット
２          表面粘着部
３          裏面粘着部
５          突条部
６          円筒形
【図１】
0003160389.tif 000003
【図２】
0003160389.tif 000004
【図３】
0003160389.tif 000005
【図４】
0003160389.tif 000006
(57)【要約】      （修正有）【課題】ノートパソコンまたはキーボード、マウスを寝ながら視認、操作を可能にするものであるが、傾斜角の角度に個人差があるため傾斜角の調節を自由に変更できるパソコンラックを提供する。【解決手段】パソコン等の設置盤面２の角度を角度調節用ピン穴８にピンを差し込み好みの角度に調節する仕組みを付加することで個人にあった角度を任意に設定可能であり、最大傾斜角は落下の危険性を考慮し４５度とした。また、伸縮部により横幅伸縮を可能にし、高さ調節ピン６にピンを差すことにより高さ調節を可能にした。【選択図】図２
0003160383.tif 000002
【実用新案登録請求の範囲】
【請求項１】
パソコン設置及びマウス操作盤面に傾斜角度をつけ、寝ながら状態でも視認の上操作を可能した形状のパソコンラック。
【考案の詳細な説明】
【技術分野】
【０００１】  本案件は、横臥状態でも使用可能なパソコンラックである。
【背景技術】
【０００２】  布団又はベッドでパソコンを使用する場合、膝上にパソコンを載せて使用するしか無く、マウスを操作するのも困難である。また布団の上と言えども起き上った状態でなければキーボード操作が不可能であり、そのまま就寝することも出来ない。
【先行技術文献】
【特許文献】
【０００３】  特願２００１−２４８３７６
【考案の概要】
横臥状態でパソコンを使用するためにキーボード、マウス使用時の盤面に傾斜角を付けた。また寝具や状況に合わせられるようにラックの高さ、幅を伸縮可能にし、移動用のキャスターを装備した。
【考案が解決しようとする課題】
【０００４】  老齢や障害等により寝たきりの状態や、健常者でも寝たままでパソコンを使用したいという需要にこたえる。
【課題を解決するための手段】
【０００５】  ベッドや布団の大小の違いや身体の大小の違いに合わせるためラックの高さや幅を伸縮自在にした。また、マウス、キーボードの操作用盤面に傾斜角を付けて寝た姿勢での操作を可能にした。
【考案の効果】
【０００６】  寝たきりのため今までパソコンを使用出来なかった人がインターネット等を行えるようになり、社会情勢や時代の流行等、または専門知識の習得や学業が可能になる。
また、使用後そのまま就寝できるので他人の介助や片付けも不要となる。
【図面の簡単な説明】
【０００７】
【図１】本考案のパソコン設置時の正面図である。
【図２】本考案のパソコン使用時の側面図である。
【考案を実施するための形態】
【０００８】  パソコン設置台及びマウス使用板に最大４５度程度の傾斜角をつける。パソコンの固定バンドによる固定と同時に盤面は落下及びずり落ち防止のためゴムマットを張り付ける。上部板は横幅調節可能にし、脚部は高さ調節可能及び移動を簡易にするためストッパー付きの車輪をつけた。
【符号の説明】
【０００９】１  伸縮部
２  設置版
３  ノートパソコン
４  マウス
５  固定バンド
６  高さ調節ピン
７  キャスター
８  角度調節用ピン穴
【図１】
0003160383.tif 000003
【図２】
0003160383.tif 000004
(57)【要約】      （修正有）【課題】自由な大きさ自由な形状のラベル等にパソコンで印刷をする印刷の位置と、パソコンの画面上の入力の位置合わせを容易にする印刷補助具を提供する。【解決手段】印刷物を取付けるシートを合成樹脂としインク吸着剤を施して印刷可能として凹凸の加工を施し印刷物の位置を印刷する。その印刷された部分に印刷物を貼着し、必要に応じて印刷すれば予め印刷物の位置を計算して割り出す必要は無くなり、容易に印刷ができる。また前記シートに凹凸を設けそこに印刷物を取付ければ印刷物の粘着剤とシートの接する面積が小さくなるので脱着が容易になる。【選択図】図１
0003160352.tif 000002
【実用新案登録請求の範囲】
【請求項１】
パソコンとインクジェット印刷機との組合せによって印刷できるシートにインク吸着剤を施し凹凸を設けたパーソナルコンピュータ
印刷補助具
【考案の詳細な説明】
【技術分野】
【０００１】
パーソナルコンピュータ（以下パソコンと略称する）とインクジェット式印刷機（以下印刷機と略称する）の組み合わせに依る印刷において片面に粘着加工の印刷物、例えばラベル等に印刷をする
【背景技術】
【０００２】
現在用いられているラベル紙等の印刷は剥離紙の台紙に規定の寸法、規定の形状のラベル等を貼り付けて印刷をする。
【先行技術文献】
【特許文献】
【０００３】
【特許文献１】特開H09-300763
【非特許文献】
【０００４】
【非特許文献１】http://www.kokuyo-st.co.jp/stationery/pasopuri/
【考案の概要】
【考案が解決しようとする課題】
【０００５】
自由な大きさ自由な形状のラベル等にパソコンで印刷をする。印刷の位置とパソコンの画面上の入力の位置合わせを容易にする。
【課題を解決するための手段】
【０００６】
インクジェツト方式の印刷機で印刷可能なインク吸着剤を施した合成樹脂等のシートに凹凸を設ける。このシートを前記印刷機が印刷可能な固有の寸法にする。
【０００７】
パソコンによって印刷をする面積とほぼ同寸法の概略な平面図を前記シートに印刷する。印刷された平面図に沿って印刷物を貼り付ける。
【０００８】
前記平面図内に文字等を印刷すればパソコンの画面上の位置と印刷物の位置は等しいのでそのまま印刷できる。このとき、印刷時に概略な平面図の枠線はパソコンから必要に応じて消去する。
【考案の効果】
【０００９】
シートに印刷物の印刷する部分とほぼ同等の大きさの枠線を印刷するだけで、手数のかかる罫線による位置の読取が必要なくなり、素早く印刷物の位置特定ができる。シートに凹凸を設けてあるので印刷物の粘着面とシートの接する面積が小さくなり印刷物の脱着が容易になる。
【図面の簡単な説明】
【００１０】
【図１】図１はシートに凹凸を設けたパソコン印刷補助具の全体斜視図
【図２】図２は図１のシートに概略な平面図を印刷したパソコン印刷補助  具の斜視図
【図３】図３は図２に印刷物を取付けたパソコン印刷補助具の斜視図
【考案を実施するための形態】
【実施例１】
【００１１】
合成樹脂等のシートにインク吸着剤を施たシートに凹凸を設け印刷機で印刷可能な寸法にする。凹凸の大きさや施工する面積や位置は自由であり貼着する印刷物によって決定する。このシートはラベルの他、粘着剤を施した他の印刷物にも使用できる。
【符号の説明】
【００１２】
１は  シート
２は  凹凸
３は  印刷された概略な平面図  
４は  取付けられた印刷物
【図１】
0003160352.tif 000003
【図２】
0003160352.tif 000004
【図３】
0003160352.tif 000005
【手続補正書】
【提出日】平成22年4月1日(2010.4.1)
【手続補正１】
【補正対象書類名】実用新案登録請求の範囲
【補正対象項目名】請求項１
【補正方法】変更
【補正の内容】
【請求項１】
パソコンとインクジェット印刷機との組合せによって印刷できるシートに凹凸を設けその凹凸に印刷物を取り付けるパーソナルコンピュータ印刷補助具。